【手続補正書】
【提出日】令和1年12月17日(2019.12.17)
【手続補正１】
【補正対象書類名】特許請求の範囲
【補正対象項目名】全文
【補正方法】変更
【補正の内容】
【特許請求の範囲】
【請求項１】
金属パーツ又はパーツ群の部分又は部分群の前進時に前記金属パーツ又はパーツ群の部分又は部分群を加熱するための高周波電気加熱システムであって、
高周波電力を提供するためのインバーター出力配線を有する固体電気インバーターにして、高周波電力の振幅及び周波数が、前記固体電気インバーターに接続された負荷のインピーダンスに依存し、前記負荷が、前記金属パーツ又はパーツ群の部分又は部分群を前進させる間に前記金属パーツ又はパーツ群の部分又は部分群に加熱電流を流す手段を含む、固体電気インバーター；及び
前記インバーター出力配線と前記金属パーツ又はパーツ群の部分又は部分群に加熱電流を流す手段に接続された負荷整合及び周波数制御機器にして、
前記インバーター出力配線と前記負荷に電気的に直列に接続された可変リアクトルの第１ペアと、
前記インバーター出力配線に電気的に並列に接続された可変リアクトルの第２ペアと、
前記インバーター出力配線及び前記負荷に電気的に接続された少なくとも１つのコンデンサを備え、
前記可変リアクトルの第１ペアそれぞれ及び前記可変リアクトルの第２ペアそれぞれが通電時に可変エネルギー場を生成し、前記可変エネルギー場及び前記可変リアクトルの第１及び第２ペアが、そこに隣接し、またそこに関して変位可能である可変エネルギー場変更手段により、リアクタンスにおいて可変である、負荷整合及び周波数制御機器を備える、高周波電気加熱システム。
【請求項２】
前記固体電気インバーターが代替として電圧源直列調整インバーターであり、
前記少なくとも１つのコンデンサが、前記インバーター出力配線の１つに電気的に直列であり、
前記可変リアクトルの第１ペア、電流源並列インバーター、及び前記少なくとも１つのコンデンサの一つが、前記インバーター出力配線に電気的に並列に接続される、請求項１に記載の高周波電気加熱システム。
【請求項３】
前記電圧源直列調整インバーターが、前記インバーター出力配線に電気的に並列に接続された第２コンデンサを有し、前記第２コンデンサの第１端子が、前記少なくとも１つのコンデンサと前記可変リアクトルの第１ペアの１つの中間に電気的に接続される、請求項２に記載の高周波電気加熱システム。
【請求項４】
前記可変リアクトルの第１ペア及び前記可変リアクトルの第２ペアそれぞれが、リアクトルの幾何形状のペアを備え、前記リアクトルの幾何形状のペアが、
幾何形状の可動のインサートコア；
定置の分割バスにして、
前記幾何形状の可動のインサートコアが幾何形状の分割バス部に完全に挿入される時の最小インダクタンス値から前記幾何形状の可動のインサートコアと前記幾何形状の分割バス部の間で形状付けられた挿入空間における可変エネルギー場が最大値になる位置への前記幾何形状の分割バス部からの引き出し時の最大インダクタンス値に前記リアクトルの幾何形状のペアのインダクタンスを変更するために前記幾何形状の分割バス部内に前記幾何形状の可動のインサートコアの挿入の調整可能な位置を提供するべく前記幾何形状の可動のインサートコアに対して幾何学的に相補的な形状を有する幾何形状の分割バス部；及び
負荷整合及び周波数制御機器における前記リアクトルの幾何形状のペアの電気接続のための分割電気バス端子部を備える定置の分割バス；及び
前記幾何形状の分割バス部の内外に前記幾何形状の可動のインサートコアを挿入及び引き出すための前記幾何形状の可動のインサートコアに接続されたアクチュエーターを備える、請求項１又は２に記載の高周波電気加熱システム。
【請求項５】
前記幾何形状の可動のインサートコアが短絡した（short-circuited）導電性材料から形成される、請求項４に記載の高周波電気加熱システム。
【請求項６】
代替として、前記短絡した導電性材料が銅シート又は固体銅インサートコアを形成する、請求項５に記載の高周波電気加熱システム。
【請求項７】
代替として、前記幾何形状の可動のインサートコアが中実又は中空の磁性材料から形成される、請求項４に記載の高周波電気加熱システム。
【請求項８】
前記中実又は中空の磁性材料がフェライト又は複数のフェライトを含む、請求項７に記載の高周波電気加熱システム。
【請求項９】
前記幾何形状の可動のインサートコア及び前記幾何形状の分割バス部が、円錐部、くさび形部、及び放物線円錐部から成る群から選択される、請求項４乃至７のいずれか一項に記載の高周波電気加熱システム。
【請求項１０】
前記可変リアクトルの第１ペア又は前記可変リアクトルの第２ペアのいずれかに含まれる少なくとも１つのリアクトルに直列に組み合わされる少なくとも１つの固定インダクターを更に備える、請求項４に記載の高周波電気加熱システム。
【請求項１１】
前記可変リアクトルの第１ペアの前記分割電気バス端子部が一緒に接続され、前記インバーター出力配線の１つに接続された単一の直列可変リアクトルを電気的に形成し、前記可変リアクトルの第２ペアが一緒に接続され、前記インバーター出力配線に並列に接続された単一の並列可変リアクトルを電気的に形成する、請求項４に記載の高周波電気加熱システム。
【請求項１２】
リアクトルの幾何形状のペアを備える高周波可変リアクトルであって、前記リアクトルの幾何形状のペアが、
幾何形状の可動のインサートコア；
定置の分割バスにして、
前記リアクトルの幾何形状のペアの通電時、前記幾何形状の可動のインサートコアが幾何形状の分割バス部に完全に挿入される時の最小インダクタンス値から、前記幾何形状の可動のインサートコアと前記幾何形状の分割バス部の間で形状付けられた挿入空間における可変エネルギー場が最大値になる位置へ前記幾何形状の分割バス部から引き出される時の最大インダクタンス値に前記リアクトルの幾何形状のペアのインダクタンスを変更するために前記幾何形状の分割バス部内に前記幾何形状の可動のインサートコアの挿入の調整可能な位置を提供するべく前記幾何形状の可動のインサートコアに対して幾何学的に相補的な形状を有する幾何形状の分割バス部；及び
前記リアクトルの幾何形状のペアのそれぞれの電源への電気接続のための分割電気バス端子部を備える定置の分割バス；及び
前記幾何形状の分割バス部の内外に前記幾何形状の可動のインサートコアを挿入及び引き出すための前記幾何形状の可動のインサートコアに接続されたアクチュエーターを備える、高周波可変リアクトル。
【請求項１３】
前記幾何形状の可動のインサートコアが短絡した導電性材料から形成される、請求項１２に記載の高周波可変リアクトル。
【請求項１４】
代替として、前記短絡した導電性材料が銅シート又は固体銅インサートコアを形成する、請求項１３に記載の高周波可変リアクトル。
【請求項１５】
代替として、前記幾何形状の可動のインサートコアが中実又は中空の磁性材料から形成される、請求項１２に記載の高周波可変リアクトル。
【請求項１６】
前記中実又は中空の磁性材料がフェライト又は複数のフェライトを含む、請求項１５に記載の高周波可変リアクトル。
【請求項１７】
前記幾何形状の可動のインサートコア及び前記幾何形状の分割バス部が、円錐部、くさび形部、及び放物線円錐部から成る群から選択される、請求項１２乃至１６のいずれか一項に記載の高周波可変リアクトル。
【請求項１８】
前記リアクトルの幾何形状のペアに含まれる少なくとも１つのリアクトルに直列に組み合わされる少なくとも１つの固定インダクターを更に備える、請求項１２乃至１７のいずれか一項に記載の高周波可変リアクトル。
【請求項１９】
前記幾何形状の分割バス部が、対の２巻き円錐部を備え、前記幾何形状の可動のインサートコアが第１及び第２の円錐形状のインサートコアを備える、請求項１２乃至１７のいずれか一項に記載の高周波可変リアクトル。
【請求項２０】
前記リアクトルの幾何形状のペアのそれぞれの電気接続のための前記分割電気バス端子部が一緒に接続されて単一の幾何形状の可変リアクトルを形成する、請求項１２乃至１７のいずれか一項に記載の高周波可変リアクトル。
【手続補正２】
【補正対象書類名】明細書
【補正対象項目名】００５２
【補正方法】変更
【補正の内容】
【００５２】
本発明では、リアクトルペア３２−３３及び３４−３５のいずれか又は両方が、図示のように、例えば、図４（ａ）及び図４（ｂ）、図６又は図７における個々の相補的な円錐部、くさび形（２つの三角形と３つの台形面から規定される多面体）部分又は放物線円錐部として、本発明の１つの実施形態において銅といった導電性シート材料から構成される単一の可動の幾何形状のインサートコア及び定置の分割バスを有するリアクトルの幾何形状のペアから形成可能である。
【手続補正３】
【補正対象書類名】明細書
【補正対象項目名】００５５
【補正方法】変更
【補正の内容】
【００５５】
各幾何形状のリアクトルペアは、リアクトルのペア、例えば、図１又は図２のリアクトル３２−３３及び３４−３５を備え、例えば、図１又は図２の相互接続鎖線Ｘにより示されるようにペアで調整可能である。例えば、リアクトルペア３２−３３について、アクチュエーター、例えば、図３の制御図（又は図４（ａ）及び図４（ｂ）のアクチュエーターＭ’）に示されるモーターＭ２での図４（ａ）及び図４（ｂ）に示すような定置のバス部６４の幾何形状の分割バス部の内外におけるインサートコア部６２の動きによる。
【手続補正４】
【補正対象書類名】明細書
【補正対象項目名】００５９
【補正方法】変更
【補正の内容】
【００５９】
図７は、本発明の高周波電源システムで用いられることができる高周波可変リアクトル１１０の別例を示す。高周波可変リアクトル１１０は、図７の両側矢印により示されるように定置の分割バス部１１４の定置の相補的な幾何形状の分割楕円放物面バス部１１４ａ及び１１４ｂの内外に可動である楕円放物面の幾何形状の単一の短絡したインサートコア部１１２を備え、インサートコア部１１２における誘導電流の振幅は、定置の分割バス部１１４の相補的な幾何形状の分割円錐型バス部１１４ａ及び１１４ｂに流れる交流電流から可変磁束場（可変エネルギー場とも呼ばれる）を確立し、幾何形状のインサートコア部１１２が相補的な幾何形状の分割円錐型バス部１１４ａ及び１１４ｂに完全に挿入された時の最小インダクタンス値から、インサートコア部１１２と定置の分割バス部１１４の間で形状付けられた挿入空間における可変エネルギー場が最大値である位置に幾何形状のインサートコア部１１２が引き出される時の最大インダクタンス値までの可変インダクタンス範囲を有し得るリアクトルのペアそれぞれについて交流電流バスの分割電気バス部端子部Ａ１−Ｂ１及びＡ２−Ｂ２で可変インダクタンスを確立する。可変リアクトルペア１１０は、可変リアクトルペア３２−３３及び／又は可変リアクトルペア３４−３５として、図１又は図２の高周波電源システムにおいて接続される。定置の分割バス部１１４は、電気的に絶縁された分割円錐型バス部１１４ａ及び１１４ｂと、（楕円放物面バス部１１４ａに関連の）分割電気端子部Ａ２及びＢ２と、（楕円放物面バス部１１４ｂに関連の）分割電気端子部Ａ１及びＢ１を備える。つまり、電気的に接続されたバス部１１４ａと端子部Ａ２及びＢ２は、電気的に接続されたバス部１１４ｂと端子部Ａ１及びＢ１から空間的に分離される。